(57)【特許請求の範囲】
【請求項１】
ソケット本体に、受光素子又は発光素子の一方又は双方を保持する素子保持部と、光コネクタのプラグを挿入するためのプラグ挿入孔であって、該プラグを前記受光素子又は発光素子との光結合位置まで導入保持するプラグ挿入孔と、該プラグ挿入孔の開口部に配した開閉自在なシャッターとを備えてなる光コネクタのソケットに於いて、
前記シャッターを、
その前面に前記プラグの側部に位置する挿入ガイド用突条に対応するガイド溝を備えたシャッター本体と、
該シャッター本体の該ガイド溝の入口側に対応する側部に該ガイド溝と交差する向きに一体に構成したヒンジ軸であって、その両端が前記ソケット本体の対応する部位に回動自在に支持されるヒンジ軸と、
該シャッター本体の裏面に該ヒンジ軸と平行に、かつ該シャッター本体と一体に構成したバネ支持軸と、
該バネ支持軸に、バネ本体を外装したねじりコイルバネであって、その一端側延長部を該シャッターの裏面の前記ヒンジ軸と反対側の部位に当接させ、他端側延長部を前記ヒンジ軸と同一の側のソケット本体の内側面にスライド可能に当接させたねじりコイルバネと、
で構成した光コネクタのソケット。
【請求項２】
前記ねじりコイルバネの一端側延長部の当接する前記シャッター本体の裏面該当部位を係止用凹部に構成した請求項１の光コネクタのソケット。
【請求項３】
前記ねじりコイルバネの他端側延長部を先端方向に向かってスライド面であるソケット本体の内側面から立ち上がる方向に折曲した摺動部に構成した請求項１又は２の光コネクタのソケット。
【請求項４】
前記バネ支持軸を、前記シャッター本体の該当する部位から腕部を延長し、その上面から立ち上げた請求項１、２又は３の光コネクタのソケット。
【発明の詳細な説明】
【０００１】
【発明の属する技術分野】
本発明は、各種ＡＶ機器や光データ伝送機器等に於いて、その取り扱うディジタル信号を入出力する要素に具備されている光コネクタのソケット、特に、角型の光コネクタのプラグと接続するための光コネクタのソケットに関する。
【０００２】
【従来の技術】
この種の光コネクタのソケットは、そのプラグ挿入孔に光コネクタのプラグを挿入することにより、前者に保持されている受光素子又は発光素子とプラグとの光学的接続を行い、光信号の伝達を可能とすることにより所期の目的を達するものであるが、プラグが挿入されていないとき、即ち、その不使用時にプラグ挿入孔をどのようにして閉じるかが当初からの問題であった。
【０００３】
不使用時にプラグ挿入孔を開口したままに放置すれば、その内部への埃その他の異物の侵入は避けられず、いずれ内部に保持されている光素子に汚れが付着し、光伝達効率の低下を招き、ついには所定の光信号伝達が不能となる虞がある。そのため、当初、該プラグ挿入孔には保護キャップを挿入することにより閉塞する構成が採用された。しかし不使用時に該開口部を保護キャップで閉じれば、上記の虞は解消されるものの光コネクタのプラグを挿入する際には当然保護キャップを抜き取らなければならないし、プラグを抜いた後には保護キャップを再度挿入しなければならない。そのため、操作がなかなか厄介になることやプラグ挿入時の保護キャップの保管の問題等もあって、その後、これに代えてプラグ挿入孔の開口部に開閉自在なシャッターを配する構成が採用された。
【０００４】
上記シャッターは初め外開きのそれが採用された。これによってプラグ挿入孔にプラグを挿入している時の保護キャップの保管のような問題はなくなったが、プラグを挿脱する際に、これとは別の操作で、該シャッターを開閉しなければならない厄介な点が問題となり、次にその問題点を解消した内開きのシャッターが採用された。このシャッターは、その一側に配されたヒンジ軸に具備するスプリングによりこれを閉じる方向に付勢された構成となっており、プラグを挿入する際は、その挿入動作により押圧されて開き、プラグを抜く際は、これを単に抜き取るだけで自動的に閉じるようになったものである。従ってシャッターの開閉のための特別の操作が一切不要となり、前記外開きのシャッターに於けるその開閉操作を別に必要とするという問題は解消されることとなった。
【０００５】
こうしてプラグ挿入孔の不使用時の閉止の問題は、その開口部に内開きのシャッターを配することにより、かなりの程度解消されたが、当初の内開きのシャッターは開口部の上部にヒンジ軸を介して開閉自在に配されたものであったため、該開口部に形成されるプラグ両側部の挿入ガイド用突条に対応するガイド溝を閉じることが困難であること、更にプラグ上下部の係止突部の内、上部のそれと係止する係止凹部をシャッターの前面に形成する必要があり、そのため、特にプラグの引き抜きの際に該シャッターを支持するヒンジ軸に過大な力が加わることになる等という問題があることが明らかになり、これらを避けるべく開口部の側部にヒンジ軸を配して横開きとするシャッターが開発されるに至った。
【０００６】
これによって、シャッターの該当する側部にガイド溝を閉じる膨出部を形成してプラグ挿入孔をその不使用時に完全に閉じることができるようになり、また前記プラグ上部の係止突部に係止する係止凹部をシャッターの前面に形成する必要もなくなったものである。
【０００７】
このように、光コネクタのソケットは、主として、そのプラグ挿入孔の開口部を不使用時に閉じる手段についての改良改善が繰り返され、保護キャップからシャッターへ、シャッターは、外開きのそれから内開きのそれへ、そして内開きのシャッターは、ヒンジ軸を上部に配したそれから側部に配したそれへと進化し、開口部を不使用時に閉じるという機能面では概ね満足する結果が得られるようになっている。
【０００８】
しかしまたシャッターがこのように構成された結果、上記のように、シャッターに求められる本来の機能は満足すべきものとなったが、そのようなシャッターの構成の故に、光コネクタのソケットを構成するハウジングの金型構造が複雑化し、或いは部品点数が増加し、結果としてその高価格化を招く新たな問題が生じている。前者の具体例は、シャッターを開閉自在に支持するヒンジ軸をその側部に構成し、かつその両端をプラグ挿入孔の開口部の該当する部位に回転自在に配すると共に、該シャッターを該開口部を閉じる方向に付勢するねじりコイルバネをハウジング内部に立設したバネ支持軸に取り付けることとしたことに起因する金型構造の複雑化であり、後者の具体例はヒンジ軸をバネ支持軸と兼用すると共に、その強度を確保する趣旨から別部品として構成したことに起因する部品数の増加である。
【０００９】
【発明が解決しようとする課題】
本発明は、以上のような従来の光コネクタのソケットの問題点を解消し、プラグ挿入孔の開口部を、その不使用時に、そのための特別の操作を必要とせずに確実に閉じ得ると共に、使用する際にも単にプラグを該プラグ挿入孔に挿入するのみで開き得るシャッターを備えた光コネクタのソケットであって、簡単な構造の金型を用いて成形しうると共に、部品点数も増加させないようにすることのできる構造のシャッターを備えた光コネクタのソケットを提供することを解決の課題とする。
【００１０】
【課題を解決するための手段】
本発明の１は、ソケット本体に、受光素子又は発光素子の一方又は双方を保持する素子保持部と、光コネクタのプラグを挿入するためのプラグ挿入孔であって、該プラグを前記受光素子又は発光素子との光結合位置まで導入保持するプラグ挿入孔と、該プラグ挿入孔の開口部に配した開閉自在なシャッターとを備えてなる光コネクタのソケットに於いて、
前記シャッターを、
その前面に前記プラグの側部に位置する挿入ガイド用突条に対応するガイド溝を備えたシャッター本体と、
該シャッター本体の該ガイド溝の入口側に対応する側部に該ガイド溝と交差する向きに一体に構成したヒンジ軸であって、その両端が前記ソケット本体の対応する部位に回動自在に支持されるヒンジ軸と、
該シャッター本体の裏面に該ヒンジ軸と平行に、かつ該シャッター本体と一体に構成したバネ支持軸と、
該バネ支持軸にバネ本体を外装したねじりコイルバネであって、その一端側延長部を該シャッター本体の裏面の前記ヒンジ軸と反対側の部位に当接させ、他端側延長部を前記ヒンジ軸と同一の側のソケット本体の内側面にスライド可能に当接させたねじりコイルバネと、
で構成した光コネクタのソケットである。
【００１１】
従って本発明の１の光コネクタのソケットによれば、前記ヒンジ軸をシャッター本体の側部に、かつ前記バネ支持軸をシャッター本体の裏面に、それぞれ一体に構成したものであり、そのため、当然ながら、ソケット本体側にバネ支持軸を構成する必要がなくなり、該ソケット本体を従前の例の通りに二つのハウジングを組み合わせて構成するものとした場合に、各々の構造を簡単なものとなし得、結果として、金型構造を簡素化することが可能となったものである。またヒンジ軸又はバネ支持軸を別部品として構成する必要のないものであるため、部品点数を増加させることもない。
【００１２】
本発明の２は、本発明の１の光コネクタのソケットに於いて、前記ねじりコイルバネの一端側延長部の当接する前記シャッター本体の裏面該当部位を係止用凹部に構成したものである。
【００１３】
従って本発明の２の光コネクタのソケットによれば、ねじりコイルバネの一端側延長部を該係止用凹部に当接させ、その部位に動かないように固定することにより、他に特別の手段を用いることなく、該ねじりコイルバネをバネ支持軸から外れないように固定することができる。
【００１４】
本発明の３は、本発明の１又は２の光コネクタのソケットに於いて、前記ねじりコイルバネの他端側延長部を先端方向に向かってスライド面であるソケット本体の内側面から立ち上がる方向に折曲した摺動部に構成したものである。
【００１５】
従って本発明の３の光コネクタのソケットによれば、ねじりコイルバネの他端側延長部が前記シャッターの開閉動作の際にソケット本体の該当する内側面をスムーズにスライド移動し得ることとなり、該シャッターのスムーズな開閉動作を妨げない。
【００１６】
本発明の４は、本発明の１、２又は３の光コネクタのソケットに於いて、前記バネ支持軸を、前記シャッター本体の該当する部位から腕部を延長し、その上面から立ち上げたものである。
【００１７】
本発明の４の光コネクタのソケットによれば、シャッター本体にねじりコイルバネを支持するバネ支持軸を充分な強度を持ったものに構成しうると共に、このようにシャッター本体にバネ支持軸を構成することにより、ソケット本体を構成する二つのハウジングを簡素な金型で成形し得るように構成することができるものである。
【００１８】
【発明の実施の形態】
本発明の実施の形態を一実施例に基づき図面を参照しつつ詳細に説明する。
【００１９】
図は本発明の光コネクタのソケットの一実施例を示したもので、図１はその正面図、図２(a)は左側面図、図２(b)は右側面図、図３(a)は図１のＡ−Ａ線断面図、図３(b)は図１のＢ−Ｂ線断面図、図３(c)は図１のＣ−Ｃ線断面図、図４(a)はシャッターの正面図、図４(b)はシャッターの背面図、図４(c)はシャッターの平面図、図４(d)はシャッターの右側面図、図４(e)は図４(d)のＤ−Ｄ線断面図、図５は前部ハウジングの正面図、図６は前部ハウジングの右側面図、図７(a)は図５のＥ−Ｅ線断面図、図７(b)は図５のＦ−Ｆ線断面図、図７(c)は図５のＧ−Ｇ線断面図、図８は後部ハウジングの正面図、図９は後部ハウジングの右側面図、図１０(a)は図８のＨ−Ｈ線断面図、図１０(b)は図８のＩ−Ｉ線断面図、図１０(c)は図８のＪ−Ｊ線断面図、図１１は光コネクタのプラグをプラグ挿入孔に挿入する過程を示したもので、図１１(a)はプラグをシャッターの直前まで近づけた状態を示すシャッターを取り付けた前部ハウジングの横断面平面説明図、図１１(b)はプラグをシャッターが４５度回転するまで挿入した状態を示すシャッターを取り付けた前部ハウジングの横断面平面説明図、図１１(c)は挿入完了状態にプラグを挿入した状態を示すシャッターを取り付けた前部ハウジングの横断面平面説明図である。
【００２０】
この実施例の光コネクタのソケットは、図１〜図３に示すように、前部ハウジング１及び後部ハウジング２を組み合わせてなるソケット本体３と、該ソケット本体３に組み込むシャッター４とで構成したものである。
【００２１】
前記シャッター４は、図４(a)〜図４(e)に示すように、基本的に、板状のシャッター本体５と、該シャッター本体５の左側部に一体に構成したヒンジ軸６と、該シャッター本体５の裏面に立ち上げたバネ支持軸７と、該バネ支持軸７に取り付けたねじりコイルバネ８とで構成したものである。
【００２２】
前記板状のシャッター本体５は、この実施例では、その左側部にヒンジ軸６を構成したものであるから、その外形は、図１、図３及び図４(a)に示すように、上部、右側部及び下部を、これが閉じるべきプラグ挿入孔９の開口部１０の外形と相似形にし、かつ僅かに大寸法に構成し、これによって該プラグ挿入孔９の開口部１０を完全に閉じることができるようにする。該シャッター本体５の右側部の中央には、上記開口部１０からプラグ挿入孔９の奥に向かって延びるガイド溝１１の入口部を完全に閉じることができる膨出部１２を構成する。上記ガイド溝１１は、該プラグ挿入孔９に挿入するプラグ１３の側部、この場合は、該開口部１０側に向かって右側の側部に構成してある挿入ガイド用突条１４と嵌合して正確に該プラグ１３を所定の位置まで案内できるようにするための案内手段である。また該シャッター本体５の前面には、該シャッター４が開いた際にプラグ１３の他の側部、即ち、この場合は左側部の挿入ガイド用突条１４を嵌合させるためのガイド溝１５を形成する。このガイド溝１５は、当然、対応する挿入ガイド用突条１４との位置関係から、前記膨出部１２と同一高さで左側部から右方向に延長したものである。
【００２３】
前記ヒンジ軸６は、既述のように、該シャッター本体５の左側部に一体に構成したものであるが、図４(a)〜図４(e)に示すように、上下端部のみを円柱状とし、中間部は、特に円柱状とする理由はないので、該シャッター本体５の側部をそのまま兼用する形状としたものである。なおこのヒンジ軸６は、前記ガイド溝１５と交差する向きとなっている。
【００２４】
前記バネ支持軸７は、図４(b)〜図４(e)に示すように、前記シャッター本体５の裏面から背後方向に腕部１６を延長させ、その上面から前記ヒンジ軸６と平行に立ち上げた構成とする。
【００２５】
前記ねじりコイルバネ８は、図４(a)〜図４(d)に示すように、コイル状に形成したバネ本体８ａと、その一端から延長する係止延長部（一端側延長部）８ｂ及び他端側から延長するスライド延長部（他端側延長部）８ｃとで構成したものであり、そのバネ本体８ａをシャッター４のバネ支持軸７に外装し、その係止延長部８ｂをシャッター本体５の裏面の膨出部１２側に構成した係止凹部１７の底面に当接させるものとする。前記スライド延長部８ｃは、シャッター４をソケット本体３にセットする前の状態では、シャッター本体５の裏面と平行な状態まで開いた状態になる。図４(b)〜図４(d)中では、前記スライド延長部８ｃは、シャッター本体５の裏面と平行になるまでは開いていないが、これは、単なる作図上の都合による。
【００２６】
前記係止凹部１７は、図４(b)〜図４(d)に示すように、シャッター本体５の裏面に於ける前記腕部１６の直上かつ膨出部１２側で、該膨出部１２側の側部に向かって延長した凹部であり、先に述べたように、該係止凹部１７の底部に前記ねじりコイルバネ８の係止延長部８ｂの先端を当接させるようになっている。このように、係止延長部８ｂの先端を係止凹部１７の底部に当接させると、該先端が該係止凹部１７の側壁部に於ける底部とシャッター本体５の裏面との段差により、容易にこれを越えてこの中から抜け出ることができなくなるため、これによって、前記ねじりコイルバネ８のバネ支持軸７への固定が確保できることになる。
【００２７】
前記スライド延長部８ｃは、後述するように、前記シャッター４を前記ソケット本体３にセットすると、その先端部が、図３(c)及び図１１(a)〜図１１(c)に示すように、ソケット本体３を構成する前部ハウジング１の内側面である格納スライド面３０に当接することとなるものであり、該先端部は、該格納スライド面３０をスライド自在に移動できるように、該格納スライド面３０から立ち上がる方向に折曲した摺動部８ｄに構成してある。
【００２８】
前記ソケット本体３は、先に述べ、かつ図１〜図３に示すように、前部ハウジング１及び後部ハウジング２を組み合わせて構成したものである。
【００２９】
前記前部ハウジング１は、図５〜図７に示すように、最前部の中央に前記プラグ挿入孔９の開口部１０を開口し、最奥部の中央には、その背後の光素子（発光素子又は受光素子）１８にプラグ１３の先端部１９を導くための導入口２０が開口している。図７(a)に示すように、上記導入口２０の構成してある部位の裏面は、後部ハウジング２の後部前面に構成した後保持面２１とともに光素子１８を挟持する前保持面２２を構成する。該後部保持面２１及び該前保持面２２は素子保持部を構成する訳である。
【００３０】
また該前部ハウジング１の開口部１０の左内側には、図７(b)及び図７(c)に示すように、上下に、前記シャッター本体５の左側部に構成したヒンジ軸６の上端部又は下端部を回動自在に支持する軸受部２３、２３を構成する。これらの軸受部２３、２３は、該ヒンジ軸６の各対応する端部を導入する導入部２３ａ、２３ａが後方に向かって開いており、これらの導入部２３ａ、２３ａを通じて該ヒンジ軸６の各対応する端部を該軸受部２３、２３に導くようになっている。各軸受部２３、２３に導入されたヒンジ軸６の各端部は、図３(c)に示すように、前部ハウジング１に組み合わされた後部ハウジング２の軸支持端２４、２４によって、該軸受部２３、２３からの離脱が規制されると共に、回動自在に支持されることになる。
【００３１】
更に該前部ハウジング１は、軸受部２３、２３を構成した側の内側面であって、該軸受部２３、２３からねじりコイルバネ８を取り付けたバネ支持軸７の手前までの距離より後方に位置する内側面を、シャッター本体５を該内側面に平行になるまで回動させた場合に、該ねじりコイルバネ８を取り付けたバネ支持軸７がそこに格納し得るだけ外方（左側）に後退させた格納スライド面３０に構成する。この格納スライド面３０の手前側の内側面は後退させず、上記のように、シャッター本体５を該内側面に平行になるまで回動させた場合に、該内側面に当接してこれ以上の回動が停止されるようにしておくこととする。
【００３２】
なお前部ハウジング１の上面後部中央には、図６及び図７(a)に示すように、後部ハウジング２と組み合わせた場合の結合用係止部２５が形成してある。また前部ハウジング１の内部中央上下には、図７(a)に示すように、それぞれ、開口部１０からプラグ挿入孔９中に挿入したプラグ１３の上下の係止突部２６、２６を係止する係止段部２７、２７が形成してある。
【００３３】
前記後部ハウジング２は、先に述べ、図８、図１０(a)及び図１０(c)に示すように、その後部内面中央に、前部ハウジング１の前保持面２２と共に光素子１８を保持する素子保持部をなす後保持面２１を構成する。該後保持面２１の下部には、図８及び図１０(a)及び図１０(c)に示すように、上記光素子１８の下部の位置決めを行う二つの位置決め突部２８、２８が突設してあり、その間の下方は、該光素子１８の導入及びその端子の引き出しのために開口している。
【００３４】
また後部ハウジング２は、その左側前部上下に、先に述べ、かつ図８、図１０(b)及び図１０(c)に示すように、前記前部ハウジング１の上下の軸受部２３、２３に導入されたシャッター５に於けるヒンジ軸６の上下端を該軸受部２３、２３から離脱しないように規制する軸支持端２４、２４を突出させている。
【００３５】
なお後部ハウジング２の上部中央には、図１０(a)に示すように、前記前部ハウジング１と組み合わせた場合に、後者の上面後部中央の結合用係止部２５が係止する係止段部２９が形成してある。
【００３６】
従ってこの実施例の光コネクタのソケットは、前記後部ハウジング２の後保持面２１に光素子１８をその裏面側を当接させた状態で配設し、かつ前記前部ハウジング１の軸受部２３、２３に導入部２３ａ、２３ａを通じてシャッター４のヒンジ軸６の上下端をそれぞれ導入した上で、該後部ハウジング２と該前部ハウジング１とを、図３(a)〜図３(c)の状態になるように、前者の前部に後者の後部を挿入して組み合わせ結合する。これだけの簡単な作業で組み立て作業は終了することとなる。
【００３７】
なお、以上のように、前記ヒンジ軸６の上下端を軸受部２３、２３に導入すると、同時に、図３(c)に示すように、シャッター４のバネ支持軸７に取り付けたねじりコイルバネ８に於けるスライド延長部８ｃの摺動部８ｄが前部ハウジング１の内側部の内、格納スライド面３０に当接状態となり、その状態で組み立てられることになる。
【００３８】
このように組み立てられると、図３(a)及ぶ図３(b)に示すように、前記光素子１８は、後部ハウジング２の後保持面２１と前部ハウジング１の前保持面２２とで挟持状態に保持されることとなる。
【００３９】
また、前記シャッター４は、そのヒンジ軸６の上下端が前部ハウジング１の軸受部２３、２３内に、後部ハウジング２の軸支持端２４、２４によって離脱しないように規制され、かつ回動自在に支持された状態となる。先に述べたように、ねじりコイルバネ８のスライド延長部８ｃの摺動部８ｄは前部ハウジング１の格納スライド面３０に当接状態となっており、ヒンジ軸６の回動を伴うシャッター本体５の開閉に従って、該摺動部８ｄは、該格納スライド面３０を自在に摺動し得ることとなる。
【００４０】
更にまた図３(a)に示すように、前部ハウジング１の結合用係止部２５が後部ハウジング２の係止段部２９に係止し、更に図示しない各係止部相互も係止して、前部ハウジング１と後部ハウジング２とは容易に分離し得ない確実な結合状態となる訳である。
【００４１】
このように、前部ハウジング１及び後部ハウジング２からなるソケット本体３にシャッター４及び光素子１８を組み込んで構成したこの実施例の光コネクタのソケットは、云うまでもなく、そのプラグ挿入孔９へのプラグ１３の挿入の際は、単にこれをその開口部１０から挿入操作するのみで、シャッター４が開き、抜き取れば、単に抜き取り操作のみで、該シャッター４が閉じ、プラグ挿入孔９内への埃その他の異物の侵入を確実に防止することができる。
【００４２】
図１１(a)に示すように、プラグ１３をプラグ挿入孔９に挿入していない状態では、ねじりコイルバネ８の作用によりシャッター本体５はプラグ挿入孔９の開口部１０の閉じた状態を維持している。図１１(b)に示すように、プラグ１３を該開口部１０から挿入すると、その先端部１９に押されてシャッター本体５はそのヒンジ軸６を中心に回動し、該プラグ１３の挿入距離に応じた状態まで開くこととなる。このようにシャッター本体５が押されて回動すると、該ねじりコイルバネ８のスライド延長部８ｃは、その摺動部８ｄを前部ハウジング１の格納スライド面３０上を後方に向かってスライド移動させながら、係止延長部８ｂとの間の角度を小さくすることができる。
【００４３】
図１１(c)に示すように、プラグ１３を更に押し込み、その先端部１９が前記導入口２０中に進入し、その背後で保持されている光素子１８との光結合位置まで進むと、プラグ１３は挿入完了状態になるが、この状態で、シャッター本体５は、プラグ１３と平行な状態にまで回動し、該シャッター本体５の前面に形成してあるガイド溝１５に該プラグ１３の該当する側部の挿入ガイド用突条１４が嵌合状態となる。
【００４４】
挿入ガイド用突条１４の該ガイド溝１５への嵌合は、図１１(b)の状態からプラグ１３を更に進入させた時点で開始し、図１１(c)に示すように、プラグ１３をプラグ挿入孔９に挿入しきった時点で、その長さ方向の全部の部位で相互の面が当接した完全な嵌合状態となる。またこのように、シャッター本体５がプラグ１３と平行になった時点では、ねじりコイルバネ８のスライド延長部８ｃはその全体が格納スライド面３０に平行な状態となってこれに当接し、かつねじりコイルバネ８のバネ本体８ａを外装したバネ支持軸７も該格納スライド面３０の最前部に格納状態となる。
【００４５】
なおプラグ１３は、このようにプラグ挿入孔９への挿入完了状態で、図３(a)に示すように、その上下の係止突部２６、２６が前部ハウジング１の係止段部２７、２７に係止して、その挿入を安定した状態に保持し、プラグ１３の先端部１９と光素子１８の良好な光結合状態を確保する。
【００４６】
プラグ１３を該プラグ挿入孔９から抜き取る場合は、以上の説明から明らかなように、それぞれ逆向きに動作する。
【００４７】
このように、この実施例の光コネクタのソケットによれば、プラグ挿入孔９の開口部１０を、その不使用時には、シャッター４によって、特別の操作を必要とせずに確実に閉じ得ると共に、使用する際にも単にプラグ１３を該プラグ挿入孔９に挿入するのみで該シャッター４を開き得るものであり、かつそのシャッター４の閉状態への復帰のためのねじりコイルバネ８を取り付けるバネ支持軸７をソケット本体３側ではなく、シャッター本体５の裏面に立ち上げる構成としたため、ソケット本体３を構成する前部ハウジング１及び後部ハウジング２をいずれも簡易な金型で成形しうるシンプルな構造となし得たものである。
【００４８】
ソケット本体３は、この実施例では、従来のそれと同様に、前部ハウジング１及び後部ハウジング２を組み合わせて構成したものであるが、このようなソケット本体３を構成するハウジングの内、特に、前部ハウジング１は、位置関係上、バネ支持軸７を構成し得るものであるが、該前部ハウジング１にこれを構成した場合は、他の構成要素の形状との関係で、金型からの取り出しに複雑な動作を必要とする。このような問題を、バネ支持軸７をシャッター本体５の裏面に構成し、かつ、前記したように、他の関連構成を設定したため、良好に解決することができたものである。
【００４９】
【発明の効果】
したがって本発明の１の光コネクタのソケットによれば、プラグ挿入孔の開口部に配したシャッターを、不使用時には、特別の操作を必要とせずに確実に閉じ得ると共に、使用する際には、単にプラグを該プラグ挿入孔に挿入するのみで開き得るものであり、加えて、該ソケットを構成する各構成要素を、簡単な構造の金型を用いて成形し得ると共に、部品点数も増加させないものである。
【００５０】
本発明の２の光コネクタのソケットによれば、ねじりコイルバネの一端側延長部を該係止用凹部内に当接させることにより、それだけで該ねじりコイルバネをバネ支持軸から外れないように固定することができる。
【００５１】
本発明の３の光コネクタのソケットによれば、シャッターの開閉動作の際にねじりコイルバネの他端側延長部がソケット本体の該当する内側面をスムーズに摺動し得ることとなり、該シャッターのスムーズな開閉動作を確保することができる。
【００５２】
本発明の４の光コネクタのソケットによれば、シャッター本体にねじりコイルバネを支持するバネ支持軸を充分な強度を持ったものに構成し得ると共に、このようにシャッター本体側にバネ支持軸を構成し、ソケット本体側にこれを構成しないようにすることにより、ソケット本体を構成する二つのハウジングを簡素な金型で成形し得るように構成することができることとなる。
【図面の簡単な説明】
【図１】一実施例の光コネクタのソケットの正面図。
【図２】  (a)は一実施例の光コネクタのソケットの左側面図。
(b)は一実施例の光コネクタのソケットの右側面図。
【図３】  (a)は図１のＡ−Ａ線断面図。
(b)は図１のＢ−Ｂ線断面図。
(c)は図１のＣ−Ｃ線断面図。
【図４】  (a)はシャッターの正面図。
(b)はシャッターの背面図。
(c)はシャッターの平面図。
(d)はシャッターの右側面図。
(e)は(d)のＤ−Ｄ線断面図。
【図５】前部ハウジングの正面図。
【図６】前部ハウジングの右側面図。
【図７】  (a)は図５のＥ−Ｅ線断面図。
(b)は図５のＦ−Ｆ線断面図。
(c)は図５のＧ−Ｇ線断面図。
【図８】後部ハウジングの正面図。
【図９】後部ハウジングの右側面図。
【図１０】  (a)は図８のＨ−Ｈ線断面図。
(b)は図８のＩ−Ｉ線断面図。
(c)は図８のＪ−Ｊ線断面図。
【図１１】  (a)はプラグをシャッターの直前まで近づけた状態を示すシャッターを取り付けた前部ハウジングの横断面平面説明図。
(b)はプラグをシャッターが４５度回転するまで挿入した状態を示すシャッターを取り付けた前部ハウジングの横断面平面説明図。
(c)は挿入完了状態までプラグを挿入した状態を示すシャッターを取り付けた前部ハウジングの横断面平面説明図。
【符号の説明】
１    前部ハウジング
２    後部ハウジング
３    ソケット本体
４    シャッター
５    シャッター本体
６    ヒンジ軸
７    バネ支持軸
８    ねじりコイルバネ
８ａ  バネ本体
８ｂ  係止延長部（一端側延長部）
８ｃ  スライド延長部（他端側延長部）
８ｄ  摺動部
９    プラグ挿入孔
１０  開口部
１１  後部ハウジングのガイド溝
１２  膨出部
１３  プラグ
１４  挿入ガイド用突条
１５  シャッター本体の前面のガイド溝
１６  腕部
１７  係止凹部
１８  光素子（発光素子又は受光素子）
１９  プラグの先端部
２０  導入口
２１  後保持面
２２  前保持面
２３  軸受部
２３ａ  導入部
２４  軸支持端
２５  結合用係止部
２６  係止突部
２７  係止段部
２８  位置決め突部
２９  係止段部
３０  格納スライド面
【図１】
0003946081.tif 000002
【図２】
0003946081.tif 000003
【図３】
0003946081.tif 000004
【図４】
0003946081.tif 000005
【図５】
0003946081.tif 000006
【図６】
0003946081.tif 000007
【図７】
0003946081.tif 000008
【図８】
0003946081.tif 000009
【図９】
0003946081.tif 000010
【図１０】
0003946081.tif 000011
【図１１】
0003946081.tif 000012